【手続補正書】
【提出日】平成16年12月22日(2004.12.22)
【手続補正１】
【補正対象書類名】明細書
【補正対象項目名】全文
【補正方法】変更
【補正の内容】
【書類名】        明細書
【発明の名称】    掃除具
【特許請求の範囲】
【請求項１】
先端に清掃部を有する掃除具において、清掃部を水に分解しうる紙で構成し、該清掃部を保持する保持部及び保持部と一体又は別体に成形された柄を樹脂又は厚紙で形成し、前記清掃部と保持部を着脱自在としたことを特徴とする掃除具。
【請求項２】
前記柄の内部に樹脂又は厚紙で形成された中間部材を収納し、該中間部材を押し下げることにより清掃部を取り外すことができることを特徴とする請求項１記載の掃除具。
【請求項３】
前記保持部は、ヒンジにより開閉可能とされ、中間部材を押し上げることにより清掃部を取り外すことができることを特徴とする請求項２に記載の掃除具。
【請求項４】
前記柄を前後に分割し、それらの端部に連結部を設けることで、前後の柄を自在に連結及び分割可能としたことを特徴とする請求項１乃至請求項３の何れかに記載の掃除具。
【請求項５】
前記柄を前後に分割し、後部の柄を前部の柄の内部に収納できるよう前部の柄を中空に形成すると共に、前記保持部を柄とは別体とし、該保持部の後方を細長く形成して柄の内部に差込んで連結し、後部の柄で該保持部を押して移動させることにより前記清掃部の取外しを行うことを特徴とする請求項１記載の掃除具。
【発明の詳細な説明】
【０００１】
【発明の属する技術分野】
本発明は、便器の汚れや風呂場、台所など水回りの清掃に用いる使い捨て掃除具に関する。
【０００２】
【従来の技術】
従来の便器掃除具としては、硬質プラスチック製の柄の先端部にスポンジ状の部材を取り付けたものが知られている。
この便器掃除具は、便器に洗浄液を流したのち、便器内に付着している汚れや汚物を取り除くために使用されるものであるが、便器を使用する毎にこの掃除具を使用するという性質のものではなく、定期的に、例えば、毎朝とか２日に一度とか使用されるものである。そのため、他人の使用後に便器に汚れや汚物が残留していることがあり、便器を次に使用する人に不愉快な気分を味わわせることがあるばかりでなく、この掃除具を一度使用すると、水分を吸収すると共に、汚物までも吸収しこれに残留してしまうため極めて不衛生である。また、この掃除具は収納場所を取り、スペースの狭いトイレには不向きの場合もある。
【０００３】
また、風呂場や台所などの水回りの清掃用に使用されるものとして、硬質プラスチックから成る柄の先端部にブラシ状の部材を取り付けたものが知られている。この掃除具も、便器用の掃除具と同様に掃除する場所に洗浄液を流したのち、付着している汚れを取り除くために用いられ、定期的に、例えば、２日に一度くらいの割合で使用されるものである。
【０００４】
また、この掃除具は、一度使用すると水分と共に汚物までも吸収して残留させる性質がある点は便器の掃除具と共通しており、夏場などには、水はけの悪い先端部にカビが生えるなど不衛生なもので、収納に際しては、風呂場の一角に掃除具に付属のケースに入れて置くか風呂場の壁面に設けたフックに吊るしておくことが多いため、収納場所をとるだけでなく見た目にも不潔感があり、風呂場の快適性を損なう要因となるものであった。
【０００５】
【発明が解決しようとする課題】
本発明は、上記従来技術の問題点を解決し、便器、風呂場、台所などの汚れを清掃することのできる使い捨ての掃除具を提供することを課題とする。
即ち、ホテルやデパ−ト等の不特定多数の人が出入りする施設では、トイレが頻繁に使用され衛生面の管理が重要視されている。また、列車や飛行機のように狭いスペ−スで、しかも水洗の量に限界のある場所に設けられたトイレでは特に衛生面が重視される。そのため、便座に用いる衛生用品としてトイレシ−トペ−パ−が使われ、便器を使う人に好感が持たれている。
【０００６】
ところが、便器内の汚れや汚物を清掃する簡便な掃除具は従来技術のような商品しかなく、その商品開発が産業界の課題として存在していた。
さらに、風呂場や台所用の掃除具も従来技術のようなものしかないため、使用後の保守管理や収納面で改善の余地があり、清潔に使用可能であると共にコンパクトに収納することのできる商品が求められている。
【０００７】
本発明は、便器、風呂場、台所を使用した後に汚れや汚物を清掃し、次に使用する人に不快感を与えないようにするために開発された商品である。本発明に係る掃除具は使い捨てであるから、使用後は簡単に保持部から汚れた清掃紙を便器内に取り外して水に流すことができ、残った柄の部分は汚物入れに捨てれば良い。
【０００８】
【課題を解決するための手段】
請求項１記載の掃除具は、先端に清掃部を有する掃除具において、清掃部を水に分解しうる紙で構成し、該清掃部を保持する保持部及び保持部と一体又は別体に成形された柄を樹脂又は厚紙で形成し、前記清掃部と保持部を着脱自在としたことを特徴とする。
このように構成することにより、使用後に便器内に汚れた清掃部を取り外して水で流すことができ、柄の部分は汚物入れに捨てる。
【０００９】
請求項２記載の掃除具は、前記柄の内部に樹脂又は厚紙で形成された中間部材を収納し、該中間部材を押し下げることにより清掃部を取り外すことができることを特徴とする。
このように構成することにより、使用後に簡単に清掃部を取り外すことができ、しかも取り外し作業で手が汚れることもない。
【００１０】
請求項３記載の掃除具は、前記保持部にヒンジを設け、ヒンジにより保持部を開閉可能とし、前記柄の内部に収納し樹脂又は厚紙で形成された中間部材を押し上げることにより清掃部を取り外すことができることを特徴とする。
このように構成することにより、保持部が開閉するので使用後の汚れた清掃部を容易に保持部から取り外すことができる。
【００１１】
請求項４記載の掃除具は、前記柄を前後に分割し、それらの端部に連結部を設けることで、前後の柄を自在に連結及び分割可能とすることを特徴とする。
このように構成することにより、柄をコンパクトに収納できる。
請求項５記載の掃除具は、前記柄を前後に分割し、後部の柄を前部の柄の内部に収納できるよう前部の柄を中空に形成すると共に、前記保持部を柄とは別体に設け、該保持部の後方を細長く形成して柄の内部に差込んで連結し、後部の柄で該保持部を押して移動させることにより前記清掃部の取外しを行うことを特徴とする。
このように構成することにより、柄をコンパクトに収納できると共に、使用後に簡単に清掃部を取り外すことができ、しかも取り外し作業で手が汚れることもない。
【００１２】
【発明の実施の形態】
本発明は、先端に位置する清掃部を水に分解し得る紙で構成し、該清掃部を保持する保持部及び保持部と一体又は別体に成形された柄を樹脂又は厚紙で形成し、前記清掃部と保持部を着脱自在に構成したので、使用後には汚れた清掃紙（清掃部）を取り外して水に流すことができ、柄の部分は汚物入れに捨てることができる簡便な使い捨ての掃除具である。
【００１３】
【実施例】
以下、図面に基づいて本発明の実施例を詳細に説明する。
図１乃至図３は、本発明の第一実施例を示したものである。
図１において、本発明の便器掃除具１は、柄２と清掃部３を保持した保持部４とからなる。柄２は厚紙で形成し、便器内で水に濡れても容易に変形しないものを用いる。一方、保持部４に保持される清掃紙（清掃部）３は、水に分解する厚さ５ｍｍ〜１０ｍｍ程度の紙で殺菌加工を施したものを用いる。
【００１４】
保持部４の形状および構造は、図２に示すように、柄２と一体成形されており、下方および両側面が開放されたコの字状の基部５内に柄２から下方に向けて逆Ｔ字状の中間部材６が嵌挿されている。この中間部材６も柄２と同様に厚紙で形成されている。そして、保持部の基部５の両側面には、その内側に向けて一対のフック（係止部）７が設けてあり、前記清掃紙３を引っ掛ける構造になっている。
【００１５】
また、前記柄２はそれぞれ筒状の柄上部２Ａと柄下部２Ｂとが、図３に示すような連結部材８で伸縮自在に連結されている。
本実施例では、柄２を２分割し連結する構造としたが、本発明はこれに限定されるものではなく、柄上部２Ａと柄下部２Ｂを一体成形しても良い。レバ−１２を押し下げると、使用後の汚れた清掃紙が係止部７からはずれる。
【００１６】
図４は、本発明の第二実施例を示したものである。
本実施例において、第一実施例と共通する部材の説明は便宜上省略し、相違点のみ説明する。
第二実施例において、保持部４は左基部４Ａと右基部４Ｂとがヒンジ９を介して開閉する構造であり、該ヒンジ９の他端は柄下部２Ｂ内に孔１０から嵌挿されている。レバ−１２を押し下げると、左基部４Ａが開き使用後の汚れた清掃紙３が係止部から外れる。
【００１７】
図５及び図６は、本発明の第三実施例を示したものである。
本実施例において、第一実施例及び第二実施例と共通する部材の説明は便宜上省略し、相違点のみ説明する。
本実施例は、柄２を２つに折り曲げられるように構成されている。この場合、柄下部２Ｂと柄下部２Ｂ'とは同径の筒状体を用い、これら筒状体より若干大きいジョイント部材１１で連結する。
【００１８】
上記第一実施例乃至第三実施例において、柄２、保持部４、中間部材６をすべて厚紙で形成したが、樹脂や木材等の部材で構成してもよい。
また、係止部７はフックに限られるものではなく、清掃紙３と係止できるものであれば、例えばリブで構成してもよい。
【００１９】
図７乃至図１１ｃは、本発明の第四実施例を示したものである。
第一実施例乃至第三実施例と共通する部材の説明は便宜上省略し、相違点のみ説明する。
図7において、本発明の掃除具１は、前方部２ａ及び後方部２ｂに分割して形成し連結部２７で連結された柄２と、柄とは別体に設け前方部の柄２ａと連結された保持部４とからなる。前方部の柄２ａ及び後方部の柄２ｂは、耐水性を考慮して樹脂から形成し、前方部の柄２ａの端部には連結部２７ａが、後方部の柄２ｂの端部には連結部２７ｂがそれぞれ設けてある。該連結部の嵌め合わせの関係は、前方部の柄２ａに設けた連結部２７ａに、後方部の柄２ｂに設けた連結部２７ａより大きい内径で中空に形成された連結部２７ｂを、前方部の柄２ａに設けた止め部２６（図９参照）の位置まで嵌合させて連結するものである。
【００２０】
一方、保持部４は図７及び図８に有るように、その先端には水で分解するよう厚さ５ｍｍ〜１０ｍｍ程度の紙を扁平な円柱状に形成して殺菌加工を施した清掃紙（清掃部）３が取り付けられている。保持部４の構造は、図１０に示すように、係合突起２0をヒンジ２１の両側部近傍に設けて成形し、上下に対向した部材がヒンジ２１を介して一体に形成されている。前記部材のうち上方の部材には該部材の撓みや変形を防止するためのリブ２２が設けられており、下方の部材の前部には清掃紙３の取付位置がずれないようにするための止め板２３が設けられている。
【００２１】
さらに、図９及び図１０に示すように、保持部４の先端部には滑り止め突起２４を設けて清掃紙３が不用意に外れないようにすると共に、清掃紙３を挟んだ保持部が開かないように、前記保持部４のヒンジ側を細長く形成し、前方部の柄２ａの内部に差込んで連結している。この時、保持部４はヒンジ２１の近傍に設けた係合突起２０を前方部の柄２ａの内部に設けたガイド溝２５に係合させて取り付けられており、後方部の柄２ｂを用い保持部４をヒンジ側から押すことで前方向にスライドさせて清掃紙３を容易に取り外すことが可能である。前記ガイド溝２５は柄の内部から見ると長手方向細長く形成された窪みであり、外部からは長手方向に細長く形成されたリブ状をしている。
【００２２】
次に、図１１ａを参照しながら柄及び保持部の動きを使用時の手順に従って説明すると、本発明に係る掃除具1は図９及び図１１ａに示すように、口径の大きい前部の柄２ａの内部に口径の小さい後方部の柄２ｂが収納された状態にある。そこで、まず口径の大きい前方部の柄２ａの内部から後方部の柄２ｂを引き抜いて反転させた後、分割して形成された各々の柄の端部に設けた連結部２７ａ及び２７ｂを連結することで図１１ｂに示すように1本の長い柄を構成する。
【００２３】
この時保持部４には予め清掃紙３が取り付けられている。前記のようにして柄を連結し、図１１ｂに示される状態にして使用した後は、前記と逆の手順により清掃紙を取り外す。即ち、柄の連結部２７を外し、向きを反転して図１１ａに示すように口径の小さい後方部の柄２ｂを口径の大きい前方部の柄２ａの内部に挿通し、さらに押しこんで保持部４を前方に押し出しつつ開き、図１１ｃに示すように清掃紙３を取り外す。この時、柄の内部では、図９に示すように保持部４のヒンジ２１側を挿通された柄２ｂが押している。
【００２４】
以上により、本発明に係る掃除具1はコンパクトに収納した状態から使用できる状態へと柄を変形でき、使用後には、清掃紙３を分離して柄を屑入れに処分し、清掃紙を便器で水洗にするか、生ゴミとして処理することで容易かつ衛生的に使い捨てにすることができる。
【００２５】
上記第四実施例では、分割して形成した柄のそれぞれの端部に連結部を設けているが、一方にのみ連結部を設けて形成しても構わない。また、保持部と柄の連結は、保持部に設けた突起と柄に設けたガイド溝との係合により連結されるとしたが、この関係を反対にして、保持部に設けたガイド溝と柄の内部に設けた突起との係合により連結されるものとしても良い。
【００２６】
さらに、保持部と柄の取付け構造を突起とガイド溝によるものに代えて、角型の保持部が同形の柄の内部で前後に摺動可能とするなど、保持部が前後に摺動可能な構造であれは実施例に限定されるものではない。また、保持部には清掃紙が不用意に外れぬよう、滑り止め突起を設けているが、突起に代えてリブ状に形成した滑り止を設けても構わない。
【００２７】
【発明の効果】
本発明は、以上説明したような形態で実施され、次のような効果を有する。
本発明による掃除具は、便器、風呂場、台所などの使用後に、誰でも簡単に便器、風呂場、台所の汚れや汚物を清掃でき、しかも汚れた清掃部を水で流すことができるので、掃除具の保守管理の煩わしさを解消し、衛生面で優れた効果を有するものである。
【００２８】
本発明による掃除具は、便器、風呂場、台所を清掃する時及び掃除具自体を処分する時に、手を汚すことがなく簡便な使い捨て掃除具である。
【００２９】
本発明による掃除具は、柄を分割して形成し、柄に連結部を設けることで、自在に連結及び分割可能としているので、収納時には分割した状態でコンパクトに収納することができる。又、使用後には保持部を分割して形成した柄の一方を使用して押すことで動かし、手を汚すことがなく清掃部を取り外して処理することのできる簡便な使い捨て掃除具である。
【図面の簡単な説明】
【図１】
本発明の第一実施例を示す斜視図である。
【図２】
本発明の第一実施例における保持部を示す一部切り欠き拡大斜視図である。
【図３】
本発明の第一実施例における柄の連結構造を示す一部切り欠き拡大図である。
【図４】
本発明の第二実施例を示す斜視図である。
【図５】
本発明の第三実施例を示す斜視図である。
【図６】
本発明の第三実施例における連結部を示す図である。
【図７】
本発明の第四実施例を示す斜視図である。
【図８】
本発明の第四実施例における一部透視図である。
【図９】
本発明の第四実施例における柄と保持部の構造取付け構造を示す図である。
【図１０】
本発明の第四実施例に使用する保持部を示す斜視図である。
【図１１ａ】
本発明の第四実施例の初期状態を示す斜視図である。
【図１１ｂ】
本発明の第四実施例の柄を連結した状態を示す斜視図である。
【図１１ｃ】
本発明の第四実施例の清掃部を取外す状態を示す斜視図である。
【符号の説明】
１ 掃除具
２ 柄
３ 清掃部
４ 保持部
６ 中間部材
９ ヒンジ
２０ 係合突起
２１ ヒンジ
２２ リブ
２３ 止め板
２４ 滑り止め突起
２５ ガイド溝
２６ 止め部
２７ 連結部